(57)【特許請求の範囲】
【請求項１】
遊技面を装飾するための装飾部材を備えた遊技機の可動装飾装置において、
支軸が設けられたベース部と、
前記支軸に回転可能に支持された駆動力伝達ギアと、
前記駆動力伝達ギアを回転させる駆動モータと、
前記駆動力伝達ギアに対向して前記支軸に回転可能に支持された回転ドラムと、
基端が前記回転ドラムに連結されるとともに先端が前記装飾部材に連結され、前記回転ドラムの回転により前記回転ドラムに巻き取られたり前記回転ドラムから送り出されたりして前記装飾部材を昇降させる可撓性の線状体と、
前記駆動力伝達ギアが一方向に回転するときに前記駆動力伝達ギアを前記回転ドラムに係合させて前記回転ドラムを一方向に回転させ前記装飾部材を上昇させる上昇時係合手段と、
前記線状体が前記回転ドラムに巻き取られて前記装飾部材が上昇したときに前記回転ドラムに係合して前記装飾部材を上昇した状態に維持する巻上保持時係合手段と、
前記駆動力伝達ギアが他方向に回転するときに前記巻上保持時係合手段と前記回転ドラムとの係合を解除して前記装飾部材の自重により前記回転ドラムを他方に回転させ前記装飾部材を下降させる係合解除手段とを備えたことを特徴とする遊技機の可動装飾装置。
【請求項２】
前記回転ドラムと前記駆動力伝達ギアとのそれぞれの対向面に突部を形成し、前記両突部で前記上昇時係合手段を構成した請求項１に記載の遊技機の可動装飾装置。
【請求項３】
前記回転ドラムの外周部に停止用凹部を形成し、前記巻上保持時係合手段を、前記停止用凹部と、前記停止用凹部に係合可能な係合片を備えたストッパと、前記係合片を前記回転ドラムの外周部に付勢する付勢手段とで構成した請求項１または２に記載の遊技機の可動装飾装置。
【請求項４】
前記係合解除手段を、前記駆動力伝達ギアに設けられた突部からなる係合解除片で構成し、前記駆動力伝達ギアが他方向に回転したときに、前記係合解除片が、前記付勢手段に抗して前記係合片が前記回転ドラムの外周部から遠ざかるように前記ストッパを押圧するようにした請求項３に記載の遊技機の可動装飾装置。
【請求項５】
前記駆動力伝達ギアを前記ベース部に対向させて配置し、前記ベース部における前記駆動力伝達ギアとの対向面に回転規制突部を設けるとともに、前記駆動力伝達ギアに前記回転規制突部と当接可能な回転範囲規制突部を設けて、前記駆動力伝達ギアの回転範囲を１回転以内に規制した請求項１ないし４のうちのいずれか一つに記載の遊技機の可動装飾装置。
【請求項６】
前記回転ドラムを、外周部の円周に沿って設けられ前記線状体を巻き付けることのできる溝部と、前記溝部から前記回転ドラムの内部側に延び先端に前記線状体の基端が固定される固定用穴とを備えた円板体で構成した請求項１ないし５のうちのいずれか一つに記載の遊技機の可動装飾装置。
【請求項７】
伸縮可能なスライドレールの上部を前記ベース部に固定するとともに、前記スライドレールの下部を前記装飾部材に連結し、前記スライドレールを前記装飾部材の昇降に追従させて伸縮させることにより、前記装飾部材が昇降する際の軌道が一定になるようにした請求項１ないし６のうちのいずれか一つに記載の遊技機の可動装飾装置。
【発明の詳細な説明】
【技術分野】
【０００１】
本発明は、遊技面を装飾するための装飾部材を備えた遊技機の可動装飾装置に関する。
【背景技術】
【０００２】
従来から、パチンコ機やスロットルマシン等の遊技機においては、遊技の面白さを増すためや、リーチのような遊技状態を表すために、装飾部材を移動させる可動装飾装置が設けられている（例えば、特許文献１参照。）。この可動装飾装置は、昇降機構を介して昇降する昇降体と、揺振機構を介して横方向に往復移動する揺振体とを備えている。そして、昇降体には、ＬＥＤを備えた基板や光を拡散させるためのレンズが設置されており、昇降体はＬＥＤ等によって発光可能になっている。また、この可動装飾装置には、取付ベースが備わっており、この取付ベースに、上昇した昇降体の落下を制止するためのストッパが左右に進退動可能に取り付けられている。
【先行技術文献】
【特許文献】
【０００３】
【特許文献１】特開２００８−２４５９４１号公報
【発明の概要】
【０００４】
前述した可動装飾装置には、昇降機構を介して昇降体を昇降させるモータと、昇降体の落下を防止するためのストッパを左右に移動させるモータとが備わっている。このため、前述した可動装飾装置では、両モータを同期させるための制御が必要になり、構造が複雑になるとともにコストアップが生じる。さらに、制御基板を設置するためのスペースも必要になり、可動装飾装置が大型化するという問題もある。
【０００５】
本発明は、前述した問題に対処するためになされたもので、その目的は、構造が単純で安価につく遊技機の可動装飾装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る遊技機の可動装飾装置の構成上の特徴は、遊技面を装飾するための装飾部材（Ｂ１，Ｂ２）を備えた遊技機の可動装飾装置（Ａ）において、支軸（１１ｂ）が設けられたベース部（１１）と、支軸に回転可能に支持された駆動力伝達ギア（１３）と、駆動力伝達ギアを回転させる駆動モータ（１２）と、駆動力伝達ギアに対向して支軸に回転可能に支持された回転ドラム（１４）と、基端が回転ドラムに連結されるとともに先端が装飾部材に連結され、回転ドラムの回転により回転ドラムに巻き取られたり回転ドラムから送り出されたりして装飾部材を昇降させる可撓性の線状体（２３）と、駆動力伝達ギアが一方向に回転するときに駆動力伝達ギアを回転ドラムに係合させて回転ドラムを一方向に回転させ装飾部材を上昇させる上昇時係合手段（１３ｆ，１４ｉ）と、線状体が回転ドラムに巻き取られて装飾部材が上昇したときに回転ドラムに係合して装飾部材を上昇した状態に維持する巻上保持時係合手段（１４ｆ，１５，１７）と、駆動力伝達ギアが他方向に回転するときに巻上保持時係合手段と回転ドラムとの係合を解除して装飾部材の自重により回転ドラムを他方に回転させ装飾部材を下降させる係合解除手段（１３ｇ）とを備えたことにある。
【０００７】
本発明に係る遊技機の可動装飾装置では、駆動モータの作動により駆動力伝達ギアが一方向に回転したときに上昇時係合手段によって駆動力伝達ギアに回転ドラムが係合して、回転ドラムが一方向に回転し装飾部材を上昇させるようにしている。そして、線状体が回転ドラムに巻き取られて装飾部材が最上位置に上昇したときに回転ドラムが巻上保持時係合手段によって停止状態にされ装飾部材が最上位置に上昇した状態に維持される。さらに、その状態から、駆動モータの作動により駆動力伝達ギアが他方向に回転したときに、係合解除手段が巻上保持時係合手段による係合状態を解除するようにしている。これによって、装飾部材は自重により回転ドラムを他方向に回転させながら急下降する。
【０００８】
駆動力伝達ギアが他方向に回転するときには、上昇時係合手段による駆動力伝達ギアと回転ドラムとの係合状態は解除されるようになる。このため、回転ドラムは駆動力伝達ギアと関係なく独自に他方向に回転する。この場合の装飾部材の急下降は、所定のタイミング、例えば、リーチのような遊技状態を表す際に生じるようにされ、これによって、遊技に面白さが増すようになる。また、本発明に係る遊技機の可動装飾装置では、駆動モータを回転させて駆動力伝達ギアを一方向に回転させたときに、装飾部材が上昇し、その駆動モータを反転させて駆動力伝達ギアを他方向に回転させたときに、装飾部材が急下降するため、駆動モータが１個で済む。このため、複雑な制御や装置が不要になるとともにコストの低下が可能になる。
【０００９】
また、本発明に係る遊技機の可動装飾装置の他の構成上の特徴は、回転ドラムと駆動力伝達ギアとのそれぞれの対向面に突部を形成し、両突部で上昇時係合手段を構成したことにある。本発明によると、駆動モータの作動により駆動力伝達ギアが一方向に回転したときに駆動力伝達ギアの突部が回転ドラムの突部に係合して、駆動力伝達ギアの回転に追従して回転ドラムも一方向に回転するようになる。そして、この回転ドラムの回転によって、線状体が回転ドラムに巻き取られ装飾部材が上昇する。このように、回転ドラムと駆動力伝達ギアとにそれぞれ突部を形成するだけの簡単な構成で、駆動力伝達ギアの回転に追従させて回転ドラムを回転させることができる。また、駆動力伝達ギアが他方向に回転するときには、駆動力伝達ギアの突部は回転ドラムの突部から離れていく。
【００１０】
また、本発明に係る遊技機の可動装飾装置のさらに他の構成上の特徴は、回転ドラムの外周部に停止用凹部（１４ｆ）を形成し、巻上保持時係合手段を、停止用凹部と、停止用凹部に係合可能な係合片（１５ｂ）を備えたストッパ（１５）と、係合片を回転ドラムの外周部に付勢する付勢手段（１７）とで構成したことにある。
【００１１】
本発明によると、係合片が付勢手段によって、回転ドラムの外周部に付勢されているため、駆動モータの作動により回転ドラムが駆動力伝達ギアに追従して一方向に回転し、係合片が停止用凹部に到達したときに係合片と停止用凹部とが係合するようになる。この場合、回転ドラムが一方向に回転して線状体を巻き取り、装飾部材を最上位置に上昇させたときに、停止用凹部が係合片の位置に到達するように構成しておく。これによって、装飾部材は、リーチのような遊技状態を表す必要のない通常時には、最上位置に上昇した状態に維持される。
【００１２】
また、装飾部材が最上位置に上昇した状態では、装飾部材が遊技機の表面から隠れるようにすることが好ましい。これによると、装飾部材が急下降したときの面白味がさらに増すようになる。また、係合片が停止用凹部に係合すると、回転ドラムはそれ以上回転できなくなるため、回転ドラムは、最大で係合片が停止用凹部に係合した状態から１回転以内の間で一方向または他方向に同角度回転できる。このため、装飾部材の昇降距離が一定になる。
【００１３】
また、本発明に係る遊技機の可動装飾装置のさらに他の構成上の特徴は、係合解除手段を、駆動力伝達ギアに設けられた突部からなる係合解除片で構成し、駆動力伝達ギアが他方向に回転したときに、係合解除片が、付勢手段に抗して係合片が回転ドラムの外周部から遠ざかるようにストッパを押圧するようにしたことにある。
【００１４】
本発明によると、駆動力伝達ギアは、上昇時係合手段を構成する駆動力伝達ギアの突部と回転ドラムの突部とが離れる他方向に回転するため、駆動力伝達ギアは単独で回転し、回転ドラムは静止状態に維持される。そして、駆動力伝達ギアの係合解除片がストッパに当接して、係合片が回転ドラムの外周部から遠ざかるようにストッパを押圧したときに、停止用凹部と係合片との係合が解除され、回転ドラムは線状体を介して装飾部材に引っ張られ他方向に回転する。この回転ドラムの他方向への回転により装飾部材は急下降する。
【００１５】
また、本発明に係る遊技機の可動装飾装置のさらに他の構成上の特徴は、駆動力伝達ギアをベース部に対向させて配置し、ベース部における駆動力伝達ギアとの対向面に回転規制突部（１１ｃ）を設けるとともに、駆動力伝達ギアに回転規制突部と当接可能な回転範囲規制突部（１３ｄ）を設けて、駆動力伝達ギアの回転範囲を１回転以内に規制したことにある。本発明によると、駆動力伝達ギアは、最大で回転範囲規制突部の一方側が回転規制突部の他方側に当接した状態から回転範囲規制突部の他方側が回転規制突部の一方側に当接するまでの１回転以内の間で一方向または他方向に同角度回転できる。
【００１６】
また、本発明に係る遊技機の可動装飾装置のさらに他の構成上の特徴は、回転ドラムを、外周部の円周に沿って設けられ線状体を巻き付けることのできる溝部と、溝部から回転ドラムの内部側に延び先端に線状体の基端が固定される固定用穴（１４ｋ）とを備えた円板体で構成したことにある。本発明によると、回転ドラムが回転したときに、線状体を確実に回転ドラムの外周部に巻き取ることができる。また、線状体の基端が溝部から回転ドラムの内部に延びる固定用穴に固定されるため、線状体が回転ドラムに巻き取られる際に、線状体の基端が邪魔になることがなくなる。この回転ドラムは、一対の円板体を組み付けて構成することができ、この場合、固定用穴の形成が容易になる。
【００１７】
また、本発明に係る遊技機の可動装飾装置のさらに他の構成上の特徴は、伸縮可能なスライドレール（２１，２２）の上部をベース部に固定するとともに、スライドレールの下部を装飾部材に連結し、スライドレールを装飾部材の昇降に追従させて伸縮させることにより、装飾部材が昇降する際の軌道が一定になるようにしたことにある。本発明によると、装飾部材が左右に揺動することなくスライドレールに沿って一定の方向に移動するため、装飾部材は安定して移動するようになる。
【図面の簡単な説明】
【００１８】
【図１】本発明の一実施形態に係る可動装飾装置における装飾部材が上昇した状態を示しており、（ａ）は平面図、（ｂ）は正面図、（ｃ）は側面図である。
【図２】本発明の一実施形態に係る可動装飾装置における装飾部材が下降する状態を示しており、（ａ）は正面図、（ｂ）は側面図である。
【図３】本発明の一実施形態に係る可動装飾装置における装飾部材が下降した状態を示しており、（ａ）は正面図、（ｂ）は側面図である。
【図４】可動装飾装置の要部を示した正面図である。
【図５】可動装飾装置の本体の分解斜視図である。
【図６】ベース部の表面側を示した斜視図である。
【図７】駆動力伝達ギアの裏面側を示した斜視図である。
【図８】駆動力伝達ギアの表面側を示した斜視図である。
【図９】回転ドラムの分解斜視図である。
【図１０】回転ドラムの裏面側を示した斜視図である。
【図１１】ストッパを示した斜視図である。
【図１２】ストッパとセンサとの関係を示した側面図である。
【図１３】装飾部材が上昇したときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【図１４】ストッパの係合片と回転ドラムの停止用凹部との係合が解除されるときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【図１５】装飾部材が下降したときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【図１６】線状体を巻き上げるときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【図１７】線状体を巻き上げたときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【図１８】ストッパの係合片と回転ドラムの停止用凹部とが係合したときの可動装飾装置の要部を示しており、（ａ）はベース部と駆動力伝達ギアとの関係を示した正面図、（ｂ）は駆動力伝達ギアと回転ドラムの関係を示した正面図、（ｃ）は線状体の状態を示した正面図である。
【発明を実施するための形態】
【００１９】
以下、本発明の一実施形態を図面を用いて説明する。図１ないし図３は同実施形態に係る遊技機の可動装飾装置Ａのそれぞれ異なる状態を示しており、図４は、可動装飾装置Ａの要部を示している。この可動装飾装置Ａは、本発明に係る遊技機としてのパチンコ機（図示せず）の遊技面に組み込まれ、遊技面に形成された窓部の内部側で２個１組みの装飾部材Ｂ１，Ｂ２を昇降させることにより遊技面に変化を生じさせるものである。可動装飾装置Ａは、装置本体１０に、装飾部材Ｂ１，Ｂ２をそれぞれガイドする一対のスライドレール２１，２２と、先端が装飾部材Ｂ１に連結された本発明に係る線状体としてのワイヤ２３とを設けて構成されている。
【００２０】
装置本体１０は、図５に示したように、ベース部１１に、駆動モータ１２、駆動力伝達ギア１３、回転ドラム１４、ストッパ１５およびワイヤ押さえ部材１６を組み付けて構成されており、図５は、これらを分解した状態を示している。なお、図５においては、左下側が表面側で右上側が裏面側であり、以下、表面側を前側、裏面側を後側として説明する。ベース部１１は、平面状の板体の周縁部に前後方向の長さが短い壁部を設けて構成されており、その表面における右側上部にリング状の突条１１ａが形成されている。そして、突条１１ａの中央に、ベース部１１の表面から前方に延びる円筒状の支軸１１ｂが形成され、支軸１１ｂの下方に矩形の突部からなる回転規制突部１１ｃが形成されている。
【００２１】
また、ベース部１１における突条１１ａの上部右側には、前後に貫通する挿通穴１１ｄが形成され、ベース部１１の表面における突条１１ａの下部左側には、ワイヤ２３をガイドするワイヤガイド部１１ｅ（図６参照）が形成されている。ワイヤガイド部１１ｅの前面には上下に延びる溝が形成されており、ワイヤ２３はこの溝内で上下に移動する。また、ベース部１１の表面における突条１１ａの上部左側と突条１１ａの下方とにはそれぞれ円筒状のねじ穴部１１ｆ，１１ｇが形成され、ベース部１１の表面におけるワイヤガイド部１１ｅとねじ穴部１１ｆとの左側には、スライドレール２１，２２を設置するためのレール設置部１１ｈ，１１ｉが形成されている。レール設置部１１ｈ，１１ｉは、平行して上下に延び下方がそれぞれ開放された枠状に形成されている。また、ベース部１１の壁部の下部には、後述するばね１７を係止するための側面視がＬ形の突起からなる係止部１１ｊが形成されている。
【００２２】
駆動モータ１２は、円柱状のモータ本体１２ａと、モータ本体１２ａの前面中央から前方に延びる回転軸１２ｂと、回転軸１２ｂの先端外周に取り付けられた駆動ギア１２ｃとを備えている。そして、モータ本体１２ａの前面の縁部には挿通穴を備えた一対の固定片１２ｄ，１２ｅが１８０度の間隔を保って取り付けられている。駆動モータ１２は、駆動ギア１２ｃを挿通穴１１ｄにベース部１１の裏面側から表面側に向かって挿通させ、モータ本体１２ａの前面をベース部１１の裏面に当接させた状態で、ベース部１１に設置されている。そして、固定片１２ｄ，１２ｅの挿通穴にねじ（図示せず）を挿通してベース部１１に螺合させることにより、ベース部１１に固定されている。
【００２３】
駆動力伝達ギア１３は、図７および図８に示したように構成されており、支軸１１ｂが挿通できる円筒状の軸穴部１３ａが中央に形成され、駆動ギア１２ｃが歯合できるギア部１３ｂが外周部に形成された円板体からなっている。駆動力伝達ギア１３の裏面における軸穴部１３ａの外周側には、ベース部１１の突条１１ａよりも直径が小さいリング状の突条１３ｃが形成されており、この突条１３ｃの内周側に外周側が広がったＶ形の突起からなる回転範囲規制突部１３ｄが形成されている。また、駆動力伝達ギア１３の表面における軸穴部１３ａの外周側には、突条１３ｃと同じ直径のリング状の突条１３ｅが形成されており、この突条１３ｅの内周側に、突条１３ｅの内周面から軸穴部１３ａに向かって延びるＩ形の突起からなるギア側係合部１３ｆが形成されている。
【００２４】
そして、駆動力伝達ギア１３の表面における外周側には、矩形の突部からなる係合解除片１３ｇが形成されている。このように構成された駆動力伝達ギア１３は、軸穴部１３ａに支軸１１ｂを挿通させ、ギア部１３ｂを駆動モータ１２の駆動ギア１２ｃに歯合させた状態で、ベース部１１に組み付けられている。駆動力伝達ギア１３は、駆動モータ１２の作動により一方向（時計周り方向）または他方向（反時計周り方向）に反転可能に回転する。その際、駆動力伝達ギア１３は、回転範囲規制突部１３ｄの一方の側部が回転規制突部１１ｃに当接した状態から回転範囲規制突部１３ｄの他方の側部が回転規制突部１１ｃに当接するまでの間で回転できる。
【００２５】
すなわち、図７に示した状態の回転範囲規制突部１３ｄの右側部分（正面から見た状態では左側部分になる）は、駆動力伝達ギア１３の正面視による時計周り方向への回転を規制し、回転範囲規制突部１３ｄの左側部分（正面から見た状態では右側部分になる）は、駆動力伝達ギア１３の正面視による反時計周り方向への回転を規制する。これによって、駆動力伝達ギア１３は、支軸１１ｂを中心として１回転弱回転可能になっている。なお、突条１３ｃは、突条１１ａの内周側に位置している。また、ギア部１３ｂの歯数は、駆動ギア１２ｃの歯数よりも多くなっており、駆動モータ１２の回転速度は減速されて駆動力伝達ギア１３に伝達される。
【００２６】
回転ドラム１４は、図９に示したように、ともに円板状に形成された後面部１４Ａと前面部１４Ｂとを組み合わせて構成されている。後面部１４Ａの中央には前後に延びる円筒状の軸受部１４ｃが形成され、前面部１４Ｂの中央には、軸受部１４ｃの前部が嵌合できる嵌合孔１４ｄが形成されている。後面部１４Ａと前面部１４Ｂは、軸受部１４ｃの前部を嵌合孔１４ｄに嵌合させることにより互いに組み付けられている。また、軸受部１４ｃの内部には、支軸１１ｂが挿通でき、回転ドラム１４は、軸受部１４ｃに支軸１１ｂを挿通させ、裏面を駆動力伝達ギア１３の表面に対向させてベース部１１に組み付けられている。
【００２７】
後面部１４Ａの後面における外周側には、図１０に示したように、突条１３ｅよりも直径が大きな略リング状の突条１４ｅが形成されており、この突条１４ｅの一部は後面部１４Ａの中心側に突出して外周側が窪んでいる。この外周側が窪んだ部分で、本発明に係る停止用凹部１４ｆが構成される。また、後面部１４Ａにおける突条１４ｅに沿った部分には、後面部１４Ａを前後に貫通する４個のねじ穴１４ｇが一定間隔を保って形成されており、前面部１４Ｂには、ねじ穴１４ｇと同じ間隔で４個のねじ挿通穴１４ｈが形成されている。
【００２８】
後面部１４Ａと前面部１４Ｂとを組み付けた状態で、ねじ挿通穴１４ｈにねじ（図示せず）を通し、そのねじをねじ穴１４ｇに螺合させることにより、後面部１４Ａと前面部１４Ｂは互いに固定される。また、後面部１４Ａの後面における軸受部１４ｃと突条１４ｅとの間で、かつ停止用凹部１４ｆの近傍にはＬ形の突起からなるドラム側係合部１４ｉが形成されている。このドラム側係合部１４ｉは、後面部１４Ａの外周側から中心に向かって延びる係合部分と、その係合部分の外周側端部から係合部分に直交して延びる部分とで構成されている。
【００２９】
そして、ドラム側係合部１４ｉは、駆動モータ１２の作動により駆動力伝達ギア１３が時計周り方向に回転するときに、ギア側係合部１３ｆに当接し、ギア側係合部１３ｆに押されて回転ドラム１４を回転させる。このとき、ドラム側係合部１４ｉの係合部分がギア側係合部１３ｆに当接する。ギア側係合部１３ｆとドラム側係合部１４ｉとで本発明に係る上昇時係合手段が構成される。この場合、突条１４ｅは、突条１３ｅの外周側に位置している。また、ギア側係合部１３ｆとドラム側係合部１４ｉとは、回転範囲規制突部１３ｄが回転規制突部１１ｃの近傍左側に位置しているときに当接する。このため、駆動力伝達ギア１３が時計周り方向に回転すると回転ドラム１４は駆動力伝達ギア１３とともに時計周り方向に回転し、回転範囲規制突部１３ｄは回転規制突部１１ｃから離れるように略半回転したのちに回転規制突部１１ｃの右側に近づいていく。
【００３０】
また、後面部１４Ａの前面における外周側には、略リング状の突条からなるガイド壁１４ｊが形成されている。ガイド壁１４ｊの所定部分は切り欠かれており、その切り欠かれた部分から後面部１４Ａの内部側に向かって直線溝状の固定用穴１４ｋが延びている。この固定用穴１４ｋは、回転ドラム１４が時計周り方向に回転するときに、内部側が外部側よりも回転方向の前方に位置し、回転ドラム１４が反時計周り方向に回転するときに、内部側が外部側よりも回転方向の後方に位置するように傾斜している。
【００３１】
ガイド壁１４ｊを設けることによって、後面部１４Ａと前面部１４Ｂとを組み付けたときに、後面部１４Ａと前面部１４Ｂとの外周側に隙間が生じる。この後面部１４Ａと前面部１４Ｂとの外周側部分の対向面とガイド壁１４ｊの外周面とで本発明に係る溝部が構成される。また、ワイヤ２３の基端部は、固定用穴１４ｋの奥端の円形部分に固定され、ワイヤ２３は、溝部内に巻き付け可能な状態で、回転ドラム１４に組み付けられている。このため、回転ドラム１４が時計周り方向に回転するときに、ワイヤ２３は溝部に巻き取られ、回転ドラム１４が反時計周り方向に回転するときに、ワイヤ２３は溝部から繰り出される。
【００３２】
ストッパ１５は、図１１に示したように、斜め左下から斜め右上に延びる細長い板状の本体１５ａと、本体１５ａの先端上部から斜め左上に突出した係合片１５ｂと、本体１５ａの基端部の上部側に形成された解除壁部１５ｃと、本体１５ａの基端部から左側に延びるばね係止片１５ｄと、本体１５ａの先端に設けられたシャッター部１５ｅとからなるレバー状の部材で構成されている。そして、本体１５ａとばね係止片１５ｄとの境界部に支持穴１５ｆが形成されている。係合片１５ｂは、回転ドラム１４の停止用凹部１４ｆに係合可能な矩形の突部で構成されており、解除壁部１５ｃは、略垂直に延びる縁部と略水平に延びる縁部とを備えた正面視が略三角形の突部で構成されている。
【００３３】
また、ばね係止片１５ｄは先細り板状に形成されており、その先端上部にばね１７の上部を係止するための凹部が設けられている。そして、シャッター部１５ｅは、ストッパ１５を構成する他の部分よりも薄肉に形成された矩形の小突部で構成されている。このストッパ１５は、支持穴１５ｆにねじ穴部１１ｇを挿通させて、ねじ穴部１１ｇを中心として回転可能な状態でベース部１１に組み付けられている。この場合、ストッパ１５における係合片１５ｂや係合片１５ｂ側の一部は、駆動力伝達ギア１３と回転ドラム１４との間の外周側部分に位置するようになる。なお、ねじ穴部１１ｇには、ストッパ１５の表面側から挿入されるねじ１５ｇ（図１２参照）が螺合しており、このねじ１５ｇの頭部によってストッパ１５はねじ穴部１１ｇから外れなくなっている。
【００３４】
また、ばね１７は、ばね部１７ａと、ばね部１７ａの上端に設けられた略リング状の係合部１７ｂと、ばね部１７ａの下端に設けられた略リング状の係合部１７ｃとで構成されている。そして、ばね１７は、係合部１７ｂをばね係止片１５ｄの凹部に係合させ、係合部１７ｃをベース部１１の係止部１１ｊに係合させて、ばね係止片１５ｄを下方に引っ張ることにより、係合片１５ｂを回転ドラム１４の突条１４ｅの外周面に押圧している。
【００３５】
駆動モータ１２の作動により駆動力伝達ギア１３が時計周り方向に回転するとともに、駆動力伝達ギア１３の回転に伴って回転ドラム１４が回転して、停止用凹部１４ｆが、ストッパ１５の係合片１５ｂに到達したときに、ばね１７の付勢力により係合片１５ｂは停止用凹部１４ｆ内に入る。また、その状態で、駆動モータ１２の作動により駆動力伝達ギア１３が反時計周り方向に回転していき、係合解除片１３ｇがストッパ１５の位置に到達すると、係合解除片１３ｇの解除面（図８に示した係合解除片１３ｇの右上面）が解除壁部１５ｃの略垂直に延びる縁部に当接する。
【００３６】
さらに、駆動力伝達ギア１３が反時計周り方向に回転していくと、係合解除片１３ｇは、ばね１７の弾性に抗して係合片１５ｂが回転ドラム１４から離れる方向にストッパ１５を回転させて、係合片１５ｂと停止用凹部１４ｆとの係合を解除させる。これによって、回転ドラム１４は、回転自在の状態になり、装飾部材Ｂ１，Ｂ２の重さによって、反時計周り方向に回転する。この場合、回転ドラム１４は１回転弱、すなわち、ドラム側係合部１４ｉとギア側係合部１３ｆとが回転ドラム１４の１周分近く離れた状態からドラム側係合部１４ｉとギア側係合部１３ｆとが当接するまでの間で回転する。なお、停止用凹部１４ｆ、ストッパ１５およびばね１７で本発明に係る巻上保持時係合手段が構成され、係合解除片１３ｇで本発明に係る係合解除手段が構成される。
【００３７】
また、図４および図１２に示したように、ベース部１１におけるストッパ１５のシャッター部１５ｅに対応する部分には、センサ１８が設けられている。なお、図１〜３および後述する図１３〜１８においては、センサ１８の図示は省略している。また、図１〜３においては、シャッター部１５ｅの図示も省略している。センサ１８は、発光部と受光部とを備えており、係合片１５ｂと停止用凹部１４ｆとが係合しているときに、シャッター部１５ｅが、発光部と受光部との間に位置して発光部から受光部への光を遮断することによりオフ状態になる。
【００３８】
また、係合片１５ｂと停止用凹部１４ｆとの係合が解除されているときに、シャッター部１５ｅが、発光部と受光部との間から移動して発光部からの光を受光部が受光することによりオン状態になる。このセンサ１８は基板１８ａに取り付けられており、基板１８ａは、固定ねじ１８ｂによってベース部１１に固定されている。また、基板１８ａには、センサ１８を外部の制御装置（図示せず）に接続するためのコネクタ１８ｃも取り付けられている。
【００３９】
ワイヤ押さえ部材１６は、段違い状に屈曲した板状部材で構成されており、取付部１６ａと、ワイヤ押さえ部１６ｂと、表面部１６ｃとを備えている。取付部１６ａは、下部側の縁部が回転ドラム１４の外周面に沿える円弧状になった略三角形に形成され、ワイヤ押さえ部１６ｂは、取付部１６ａの下部側の縁部から前方に延び回転ドラム１４の外周面を覆うことのできる湾曲した壁部で構成されている。また、表面部１６ｃは、ワイヤ押さえ部１６ｂの前縁部から下方に延びて、回転ドラム１４の表面中央部分までを覆うことのできる略三角形に形成されている。そして、取付部１６ａの略中央にねじ挿通穴１６ｄが形成され、表面部１６ｃの下部にねじ挿通穴１６ｅが形成されている。
【００４０】
ワイヤ押さえ部材１６は、ねじ挿通穴１６ｄにねじ（図示せず）を挿通させ、そのねじをねじ穴部１１ｆの内部に螺合させるとともに、ねじ挿通穴１６ｅにねじ（図示せず）を挿通させ、そのねじを支軸１１ｂの内部に螺合させることにより、ベース部１１に固定されている。このとき、ワイヤ押さえ部１６ｂは、回転ドラム１４の外周面の近傍に位置して、ワイヤ２３が、回転ドラム１４における後面部１４Ａと前面部１４Ｂとの間に形成された溝部から外れることを防止する。
【００４１】
また、表面部１６ｃの裏面側には、回転ドラム１４の回転に抵抗力を付与するためのダンパ１９が設けられている。このダンパ１９は、オイルの粘性抵抗により発生する制動力を利用した回転系のダンパであり、本体ケースの内部にロータとシリコンオイルを充填し、ロータの回転軸を外部に突出させた状態で本体ケースをキャップで閉塞した構成をしている。また、外部に突出した回転軸の周面には、歯車が設けられ、回転ドラム１４の前面から突出する軸受部１４ｃの周面には、この歯車に歯合できる歯部（図示せず）が形成されている。そして、ダンパ１９の歯車を軸受部１４ｃの周面に形成された歯部と歯合させることにより、回転ドラム１４の回転に抵抗力を付与する。
【００４２】
スライドレール２１は、アウターメンバー２１ａ、インターメンバー２１ｂおよびインナーメンバー２１ｃからなる３メンバースライド式のスライドレールに、下部スライダー２１ｄを組み付けるとともに、各メンバー等の部材間にそれぞれ一対のボールベアリング２１ｅ，２１ｆ，２１ｇを配置した構成をしている。すなわち、アウターメンバー２１ａとインターメンバー２１ｂとの両側は左右一対のボールベアリング２１ｅを介して組み付けられ、インターメンバー２１ｂは、アウターメンバー２１ａの前面でアウターメンバー２１ａに重なった状態とアウターメンバー２１ａの下方に突出した状態との間で移動可能になっている。
【００４３】
インターメンバー２１ｂとインナーメンバー２１ｃとの両側は左右一対のボールベアリング２１ｆを介して組み付けられ、インナーメンバー２１ｃは、インターメンバー２１ｂの前面でインターメンバー２１ｂに重なった状態とインターメンバー２１ｂの下方に突出した状態との間で移動可能になっている。また、インナーメンバー２１ｃと下部スライダー２１ｄとの両側は左右一対のボールベアリング２１ｇを介して組み付けられ、下部スライダー２１ｄは、インナーメンバー２１ｃの前面でインナーメンバー２１ｃに重なった状態とインナーメンバー２１ｃの下方に突出した状態との間で移動可能になっている。
【００４４】
このため、スライドレール２１は、上下方向に伸縮することができ、図１（ｂ）の状態から図２（ａ）の状態を経て、図３（ａ）の状態まで伸長することができるとともに、図３（ａ）の状態から図２（ａ）の状態を経て、図１（ｂ）の状態まで収縮することができる。なお、アウターメンバー２１ａ、インターメンバー２１ｂおよびインナーメンバー２１ｃは、この記載の順に幅が小さくなっており、下部スライダー２１ｄは、インターメンバー２１ｂと略同じ幅に形成されている。
【００４５】
また、下部スライダー２１ｄには、逆Ｔ形板状のホルダー２４が取り付けられている。このホルダー２４には、装飾部材Ｂ１が固定されているとともに、ワイヤ２３の先端部が連結されている。したがって、図１（ｂ）の状態で回転ドラム１４が回転可能な状態になると、装飾部材Ｂ１の重さによって、回転ドラム１４が反時計周り方向に回転してワイヤ２３は回転ドラム１４から繰り出されていく。同時に、スライドレール２１が伸長して装飾部材Ｂ１はスライドレール２１の下部スライダー２１ｄとともに下降していく。
【００４６】
また、図３（ａ）の状態から回転ドラム１４が時計周り方向に回転すると、ワイヤ２３が回転ドラム１４に巻き取られる。これによって、スライドレール２１が収縮し装飾部材Ｂ１はスライドレール２１の下部スライダー２１ｄとともに上昇していく。装飾部材Ｂ１は、表面に所定の装飾画が施され、上部よりも下部が前部に位置する段違いになった略板状の部材で構成されており、裏面下部には、後方に突出する支持棚２５が形成されている。このように構成された装飾部材Ｂ１の左右方向の中央における下部が、ホルダー２４に固定されている。
【００４７】
スライドレール２２は、アウターメンバー２２ａ、インターメンバー２２ｂおよびインナーメンバー２２ｃからなる３メンバースライド式のスライドレールにおける各メンバー間に、それぞれ一対のボールベアリング２２ｄ，２２ｅを配置した構成をしている。すなわち、アウターメンバー２２ａとインターメンバー２２ｂとの両側は左右一対のボールベアリング２２ｄを介して組み付けられ、インターメンバー２２ｂは、アウターメンバー２２ａの前面でアウターメンバー２２ａに重なった状態とアウターメンバー２２ａの下方に突出した状態との間で移動可能になっている。
【００４８】
インターメンバー２２ｂとインナーメンバー２２ｃとの両側は左右一対のボールベアリング２２ｅを介して組み付けられ、インナーメンバー２２ｃは、インターメンバー２２ｂの前面でインターメンバー２２ｂに重なった状態とインターメンバー２２ｂの下方に突出した状態との間で移動可能になっている。このため、スライドレール２２は、上下方向に伸縮することができ、図１（ｂ）の状態から図３（ａ）の状態まで伸長することができるとともに、図３（ａ）の状態から図１（ｂ）の状態まで収縮することができる。また、インナーメンバー２２ｃには、縦長板状のホルダー２６が取り付けられている。このホルダー２６には、装飾部材Ｂ２が固定されている。
【００４９】
装飾部材Ｂ２は、装飾部材Ｂ１よりも小型に形成され、装飾部材Ｂ１と同様、表面に所定の装飾画が施された段違いの略板状の部材で構成されている。この装飾部材Ｂ２は、装飾部材Ｂ１よりも後部で、スライドレール２２に下部スライダー２１ｄが備わっていない分、装飾部材Ｂ１よりも上方に位置するように配置されている。そして、図１（ｂ）のように装飾部材Ｂ１が最上位置に位置しているときには、装飾部材Ｂ２は、装飾部材Ｂ１の支持棚２５に支持されて上昇した状態に維持される。また、図３（ａ）のように、装飾部材Ｂ１が最下位置に位置しているときには、装飾部材Ｂ２は、装飾部材Ｂ１の支持棚２５から離れ、ホルダー２６を介してインナーメンバー２２ｃに支持されて下降した状態に維持される。
【００５０】
また、このように構成された可動装飾装置Ａを備えるパチンコ機には、駆動モータ１２の作動を制御する制御装置や、制御装置に駆動モータ１２を作動させるための作動信号を発信する信号発信装置などが備わっている。そして、制御装置は、信号発信装置から送られる信号や、コネクタ１８ｃを介してセンサ１８から送られる信号に基づいて、駆動モータ１２を作動させる。この駆動モータ１２の作動により、装飾部材Ｂ１，Ｂ２は降下したり、上昇したりする。パチンコ機を使用して遊技が行われている際に、装飾部材Ｂ１，Ｂ２の下降・上昇が信号に基づいた所定のタイミングで発生することにより、遊技の面白さが増加する。また、遊技状態が、大当たりの前のリーチの状態になったときに、装飾部材Ｂ１，Ｂ２を降下させたり、上昇させたりするように設定することもできる。
【００５１】
つぎに、装飾部材Ｂ１，Ｂ２が降下・上昇する際の、ベース部１１の回転規制突部１１ｃと駆動力伝達ギア１３の回転範囲規制突部１３ｄとの位置関係、ギア側係合部１３ｆとドラム側係合部１４ｉとの位置関係、駆動力伝達ギア１３の係合解除片１３ｇとストッパ１５の解除壁部１５ｃとの位置関係、回転ドラム１４の停止用凹部１４ｆとストッパ１５の係合片１５ｂとの位置関係およびワイヤ２３の回転ドラム１４からの送り出しの状態を、図１３ないし図１８を用いて説明する。図１３ないし図１５は、装飾部材Ｂ１，Ｂ２を下降させるときの状態を示しており、まず、図１３（ａ）ないし図１３（ｃ）は、装飾部材Ｂ１，Ｂ２が最上位置に位置したときの状態を示している。
【００５２】
この状態では、図１３（ａ）に示したように、回転範囲規制突部１３ｄは、回転規制突部１１ｃの左側の近傍に位置している。また、図１３（ｂ）に示したように、ドラム側係合部１４ｉは回転ドラム１４の回転方向の右側に位置して、ギア側係合部１３ｆは、ドラム側係合部１４ｉの下方の近傍に位置している。係合解除片１３ｇは、解除壁部１５ｃの左側の近傍に位置し、係合片１５ｂは、停止用凹部１４ｆの内部に位置している。そして、図１３（ｃ）に示したように、ワイヤ２３は回転ドラム１４に巻き取られ、ワイヤ２３の先端部は、ベース部１１の下縁部の近傍に位置している。
【００５３】
図１４（ａ）ないし図１４（ｃ）は、駆動モータ１２の作動により、駆動力伝達ギア１３が反時計周り方向に回転して、係合片１５ｂと停止用凹部１４ｆとの係合を解除するときの状態を示している。この状態では、図１４（ａ）に示したように、回転範囲規制突部１３ｄは、回転規制突部１１ｃにさらに接近して当接した状態になる。また、図１４（ｂ）に示したように、ギア側係合部１３ｆは、図１３（ｂ）の状態よりもさらにドラム側係合部１４ｉに近づいた位置になる。係合解除片１３ｇは、解除壁部１５ｃを右側に押圧し、係合片１５ｂは、回転ドラム１４の外周側に移動して停止用凹部１４ｆの外部に位置する。
【００５４】
係合片１５ｂが移動したことにより、係合片１５ｂと停止用凹部１４ｆとの係合が解除され、回転ドラム１４は独自に回転可能な状態になる。このため、装飾部材Ｂ１，Ｂ２の重さで回転ドラム１４が回転するとともに、ワイヤ２３の先端部が下降して、可動装飾装置Ａは、図１５（ａ）ないし図１５（ｃ）に示した状態になる。この場合、駆動力伝達ギア１３は停止し、回転ドラム１４だけが反時計周り方向に回転する。
【００５５】
ワイヤ２３の先端部が下降した状態では、図１５（ａ）に示したように、回転範囲規制突部１３ｄは、回転規制突部１１ｃに当接した状態を維持する。また、このとき、ドラム側係合部１４ｉは、回転ドラム１４の回転に伴いギア側係合部１３ｆの左側に当接し、慣性による回転ドラム１４のオーバーランを防止する。係合解除片１３ｇは、解除壁部１５ｃを右側に押圧した状態を維持し、係合片１５ｂは、回転ドラム１４の外周側に移動して停止用凹部１４ｆの外部に位置した状態を維持している。そして、図１５（ｃ）に示したように、ワイヤ２３は、回転ドラム１４から繰り出され、その先端部は、最下位置まで降下している。
【００５６】
この場合、装飾部材Ｂ１，Ｂ２は、最初は一体となって下降し、スライドレール２２が延びきったところで装飾部材Ｂ２は停止する。そして、装飾部材Ｂ１は装飾部材Ｂ２から離れてさらに下降しスライドレール２１が延びきったところで停止する。このため、装飾部材Ｂ１，Ｂ２が、上下に広がりながら急下降するようになりその動きが興趣に富むものとなる。
【００５７】
図１６ないし図１８は、装飾部材Ｂ１，Ｂ２を上昇させるときの状態を示しており、まず、図１６（ａ）ないし図１６（ｃ）は、上昇を開始するときの状態を示している。この状態では、駆動モータ１２の作動により、駆動力伝達ギア１３が時計周り方向に回転することにより、図１６（ａ）に示したように、回転範囲規制突部１３ｄは、回転規制突部１１ｃから離れて駆動力伝達ギア１３の回転方向の左側に位置している。また、図１６（ｂ）に示したように、ギア側係合部１３ｆは、ドラム側係合部１４ｉの右側部を押圧してドラム側係合部１４ｉとともに、下方やや左側に位置している。係合解除片１３ｇと停止用凹部１４ｆとは、それぞれ回転範囲の左側に位置している。そして、図１６（ｃ）に示したように、ワイヤ２３の先端部は、図１５（ｃ）の状態よりも僅かに上方に位置している。
【００５８】
図１７（ａ）ないし図１７（ｃ）は、駆動力伝達ギア１３および回転ドラム１４が１回転近く回転し、係合片１５ｂと停止用凹部１４ｆとが係合するときの状態を示している。この状態では、図１７（ａ）に示したように、回転範囲規制突部１３ｄは、回転規制突部１１ｃに接近して回転規制突部１１ｃの右側部に当接した状態になる。また、図１７（ｂ）に示したように、ギア側係合部１３ｆは、ドラム側係合部１４ｉとともに、回転範囲の右側に位置した状態になる。係合解除片１３ｇは、回転範囲の最下部よりもやや右側に位置し、係合片１５ｂは、停止用凹部１４ｆの内部における上部側に位置している。そして、図１７（ｃ）に示したように、ワイヤ２３の先端部は、ベース部１１の下縁部よりもやや上方に位置している。
【００５９】
この状態になる場合には、回転ドラム１４の回転により、まず、装飾部材Ｂ１が上昇し、装飾部材Ｂ１の支持棚２５が装飾部材Ｂ２の下端部に当接すると、装飾部材Ｂ２が装飾部材Ｂ１に持ち上げられて、装飾部材Ｂ１，Ｂ２は一体となって上昇する。また、係合片１５ｂが移動したことにより、センサ１８がオフ状態になると、駆動モータ１２は制御装置の制御により停止する。なお、センサ１８からオフ信号を受けた制御装置は、この時点を動作の基準位置として、その後の動作に必要な駆動モータ１２への制御信号を発生する。
【００６０】
図１８（ａ）ないし図１８（ｃ）は、図１７（ａ）ないし図１７（ｃ）の状態から、駆動力伝達ギア１３を反時計周り方向に回転させて、装飾部材Ｂ１，Ｂ２を下降させるための始動準備位置に位置させる状態を示している。この状態では、図１８（ａ）に示したように、回転範囲規制突部１３ｄは、回転規制突部１１ｃの左側近傍に位置している。また、図１８（ｂ）に示したように、ドラム側係合部１４ｉは回転ドラム１４の右側に位置して、ギア側係合部１３ｆは、ドラム側係合部１４ｉの下方近傍に位置している。係合解除片１３ｇは、解除壁部１５ｃの左側近傍に位置し、係合片１５ｂは、停止用凹部１４ｆの内部下部側に位置している。そして、図１８（ｃ）に示したように、ワイヤ２３の先端部は、ベース部１１の下縁部の近傍に位置している。
【００６１】
すなわち、図１８（ａ）ないし図１８（ｃ）に示した状態は、図１３（ａ）ないし図１３（ｃ）に示した状態と同じであり、図１７（ａ）ないし図１７（ｃ）に示した状態から、駆動力伝達ギア１３を反時計周り方向に回転させることによりこの状態になる。このとき、回転ドラム１４は静止した状態を維持する。そして、遊技機がリーチの状態になった時等、所定のタイミングで、前述した図１３ないし図１８に示した動作が順次行われる。すなわち、制御装置は、駆動モータ１２をパルス制御することにより、可動装飾装置Ａが、図１７、図１８（図１３）、図１４、図１５、図１６そして図１７に示した状態に、前述した順番で順次変化するように制御する。
【００６２】
以上のように、本実施形態に係る可動装飾装置Ａでは、駆動モータ１２の作動により駆動力伝達ギア１３が時計周り方向に回転したときに、ギア側係合部１３ｆがドラム側係合部１４ｉに係合して、回転ドラム１４を時計周り方向に回転させて装飾部材Ｂ１，Ｂ２を上昇させる。そして、装飾部材Ｂ１，Ｂ２が最上位置に上昇したときに、ストッパ１５の係合片１５ｂが、回転ドラム１４の停止用凹部１４ｆに係合して装飾部材Ｂ１，Ｂ２は最上位置に上昇した状態に維持される。
【００６３】
さらに、その状態から、駆動モータ１２の作動により駆動力伝達ギア１３が反時計周り方向に回転したときに、駆動力伝達ギア１３の係合解除片１３ｇが、ストッパ１５の解除壁部１５ｃを押圧して、係合片１５ｂと停止用凹部１４ｆとの係合を解除する。これによって、装飾部材Ｂ１，Ｂ２は自重により回転ドラム１４を反時計周り方向に回転させながら急下降する。このため、可動装飾装置Ａを作動させるための駆動モータが１個の駆動モータ１２で済み、複雑な制御や装置が不要になるとともにコストの低下が可能になる。
【００６４】
また、ギア側係合部１３ｆとドラム側係合部１４ｉとを簡単な構造の突部で構成したため上昇時係合手段を簡単な構成にすることができる。さらに、回転ドラム１４が回転できる時計周り方向への角度と反時計回り方向の角度とが同じになるため、装飾部材Ｂ１，Ｂ２の昇降距離が一定になる。また、ベース部１１に回転規制突部１１ｃを設けるとともに、駆動力伝達ギア１３に回転範囲規制突部１３ｄを設けたため、駆動力伝達ギア１３の回転範囲を一定に規制することができる。
【００６５】
さらに、回転ドラム１４に、溝部を設けるとともに、溝部から回転ドラム１４の内部側に延び固定用穴１４ｋを設け、固定用穴１４ｋの奥端部にワイヤ２３の基端部を固定したため、ワイヤ２３が回転ドラム１４の溝部に巻き取られる際に、ワイヤ２３の基端部が邪魔になることがなくなる。また、スライドレール２１，２２を設けたため、装飾部材Ｂ１，Ｂ２が左右に揺動することなくスライドレール２１，２２に沿って一定の方向に移動するため、装飾部材Ｂ１，Ｂ２は安定して上下移動するようになる。
【００６６】
本発明に係る遊技機の可動装飾装置は、前述した各実施形態に限定するものでなく、適宜変更することができる。例えば、前述した実施形態では、一方向を時計周り方向とし、他方向を反時計周り方向としているが、この回転方向は逆であってもよい。また、上昇時係合手段、巻上保持時係合手段および係合解除手段の構成についても前述した実施形態に限定されるものでなく、前述した実施形態に係る上昇時係合手段、巻上保持時係合手段および係合解除手段と同様の作用効果を奏する構成のものであれば用いることができる。また、ワイヤ２３に代えて、ひも、ロープ、チェーン等を用いてもよいし、ばね１７に代えて錘を用いてもよい。さらに、遊技機としては、パチンコ機に限らず、スロットマシンやスマートボール等を用いてもよい。また、本発明に係る遊技機の可動装飾装置のそれ以外の部分の構成についても本発明の技術的範囲内で適宜変更して実施することが可能である。
【符号の説明】
【００６７】
１１…ベース部、１１ｂ…支軸、１１ｃ…回転規制突部、１２…駆動モータ、１３…駆動力伝達ギア、１３ｄ…回転範囲規制突部、１３ｆ…ギア側係合部、１３ｇ…係合解除片、１４…回転ドラム、１４ｆ…停止用凹部、１４ｉ…ドラム側係合部、１４ｊ…ガイド壁、１４ｋ…固定用穴、１５…ストッパ、１５ｂ…係合片、１５ｃ…解除壁部、１７…ばね、２１，２２…スライドレール、２３…ワイヤ、Ａ…可動装飾装置、Ｂ１，Ｂ２…装飾部材。
【図１】
0005665000.tif 000002
【図２】
0005665000.tif 000003
【図３】
0005665000.tif 000004
【図４】
0005665000.tif 000005
【図５】
0005665000.tif 000006
【図６】
0005665000.tif 000007
【図７】
0005665000.tif 000008
【図８】
0005665000.tif 000009
【図９】
0005665000.tif 000010
【図１０】
0005665000.tif 000011
【図１１】
0005665000.tif 000012
【図１２】
0005665000.tif 000013
【図１３】
0005665000.tif 000014
【図１４】
0005665000.tif 000015
【図１５】
0005665000.tif 000016
【図１６】
0005665000.tif 000017
【図１７】
0005665000.tif 000018
【図１８】
0005665000.tif 000019